(57)【特許請求の範囲】
【請求項１】
ガス化設備から発生するガス化ガスを除塵する低温集塵設備と、この低温集塵設備により除塵されたガス化ガスを洗浄するガス洗浄設備とを有するガス精製システムにおいて、
前記低温集塵設備の上流側に、この低温集塵設備に導入される前記ガス化ガス中の有害物質を吸着可能な吸着剤を投入する機構が設けられ、
前記ガス洗浄設備から発生する廃水をｐＨ調整するｐＨ調整槽を備えると共に、このｐＨ調整槽により調整された廃水を蒸留する蒸留塔が設けられていて、この蒸留塔の缶液を中和して放流可能にする混合中和槽が設けられ、
前記ガス洗浄設備が、減温塔、酸洗浄塔、アルカリ洗浄塔を有しており、前記減温塔と酸洗浄塔から発生した混合廃水を前記ｐＨ調整槽に送給し、ｐＨ調整された廃水を前記蒸留塔により蒸留するようになっていると共に、この蒸留塔の缶液が前記アルカリ洗浄塔の循環水として使用された後、前記混合中和槽により中和され放流されることを特徴とするガス精製システム。
【請求項２】
ガス化設備から発生するガス化ガスを除塵する低温集塵設備と、この低温集塵設備により除塵されたガス化ガスを洗浄するガス洗浄設備とを有するガス精製システムにおいて、
前記低温集塵設備の上流側に、この低温集塵設備に導入される前記ガス化ガス中の有害物質を吸着可能な吸着剤を投入する機構が設けられ、
前記ガス洗浄設備から発生する廃水をｐＨ調整するｐＨ調整槽を備える共に、このｐＨ調整槽により調整された廃水を、キャリアガスを供給して放散処理する放散塔が設けられていて、この放散塔の缶液を中和して放流可能にする混合中和槽が設けられ、
前記ガス洗浄設備が、減温塔、酸洗浄塔、アルカリ洗浄塔を有しており、前記減温塔と酸洗浄塔から発生した混合廃水を前記ｐＨ調整槽に送給し、ｐＨ調整された廃水を前記放散塔により放散処理すると共に、この放散塔の缶液が前記アルカリ洗浄塔の循環水として使用された後、前記混合中和槽により中和され放流されることを特徴とするガス精製システム。
【請求項３】
前記吸着剤が、活性炭、消石灰、ナトリウム系薬剤のいずれか又は混合されたものである請求項１または２記載のガス精製システム。
【請求項４】
前記蒸留塔もしくは放散塔により蒸留もしくは放散され濃縮されたアンモニアガスが、前記ガス化設備またはガス利用設備の後段に配置される脱硝設備に送給される請求項１〜３のいずれか１項記載のガス精製システム。
【請求項５】
ガス化設備から発生するガス化ガスを低温集塵設備により除塵し、この低温集塵設備により除塵されたガス化ガスをガス洗浄設備により洗浄するガス精製方法において、
前記低温集塵設備の上流側に、この低温集塵設備に導入される前記ガス化ガス中の有害物質を吸着可能な吸着剤を投入し、
前記ガス洗浄設備から発生する廃水をｐＨ調整槽にてｐＨ９以上に調整すると共に、このｐＨ調整された廃水を蒸留塔により蒸留し、この蒸留塔の缶液を中和して放流し、
前記ガス洗浄設備が、減温塔、酸洗浄塔、アルカリ洗浄塔を有しており、前記減温塔と酸洗浄塔から発生した混合廃水を前記ｐＨ調整槽に送給し、ｐＨ調整された廃水を前記蒸留塔により蒸留するようになっていると共に、この蒸留塔の缶液を前記アルカリ洗浄塔の循環水として使用した後、中和し放流することを特徴とするガス精製方法。
【請求項６】
ガス化設備から発生するガス化ガスを低温集塵設備により除塵し、この低温集塵設備により除塵されたガス化ガスをガス洗浄設備により洗浄するガス精製方法において、
前記低温集塵設備の上流側に、この低温集塵設備に導入される前記ガス化ガス中の有害物質を吸着可能な吸着剤を投入し、
前記ガス洗浄設備から発生する廃水をｐＨ調整槽にてｐＨ調整する共に、このｐＨ調整槽により調整された廃水をキャリアガスと共に放散塔に供給して放散処理し、前記放散塔の缶液を混合中和槽にて中和し放流し、
前記ガス洗浄設備が、減温塔、酸洗浄塔、アルカリ洗浄塔を有しており、前記減温塔と酸洗浄塔から発生した混合廃水を前記ｐＨ調整槽に送給し、ｐＨ調整された廃水を前記放散塔により放散処理するようになっていると共に、この放散塔の缶液を前記アルカリ洗浄塔の循環水として使用した後、前記混合中和槽により中和し放流することを特徴とするガス精製方法。
【請求項７】
前記吸着剤として、活性炭、消石灰、ナトリウム系薬剤のいずれか又は混合したものを用いる請求項５または６記載のガス精製方法。
【請求項８】
前記蒸留塔により蒸留し濃縮したアンモニアガスを、前記ガス化設備またはガス利用設備の後段に配置される脱硝設備に送給する請求項５〜７のいずれか１項記載のガス精製方法。
【発明の詳細な説明】
【技術分野】
【０００１】
本発明はガス精製システムとガス精製方法に関し、詳しくは、ガス化設備から発生するガス化ガスを除塵する低温集塵設備と、この低温集塵設備により除塵されたガス化ガスを洗浄するガス洗浄設備とを有するガス精製システムとガス精製方法に関する。
【背景技術】
【０００２】
木屑や下水汚泥のような有機物を含む廃棄物（有機系廃棄物）やバイオマス燃料から高効率にエネルギー転換する技術として、ガス化技術が注目されている。ガス化することによって発生したガスを、ガスエンジンやガスタービンなどの内燃機関にて燃焼させることにより発電することが可能であり、その発電効率は燃料を直接燃焼して蒸気を発生させ、蒸気タービンにより発電するボイラ発電システムによるより高効率という特長を有する（特許文献１）。
【０００３】
しかし、ガス化炉から発生した生成ガスはダスト、タール、アンモニア、ダイオキシン類、重金属、塩化水素などの有害な腐食性物質・汚染物質が含まれており、そのままガスエンジン等の発電設備に投入すると、詰まりや腐食などの問題が生じる。
【０００４】
そこで、ガス化炉から発生したガス化ガスは、図４に示すように、無害化処理される。すなわち、生成されたガス化ガスはバグフィルター等の低温集塵設備にて集塵処理され、ガス化ガス中のダストが除去された後、ガス洗浄設備Ａ０に導入されて、ガス化ガス中の酸性成分などが除去されるべく湿式洗浄される。ガス洗浄設備Ａ０は、減温塔１、酸洗浄塔２、アルカリ洗浄塔３などからなる。そして、ガス化ガスは、まず冷却水のシャワー装置を有する減温塔１に曝された後、酸洗浄塔２に送られて酸による中和がなされガス化ガス中のアンモニア、タールなどが除かれ、更にアルカリ洗浄塔３に送られてガス化ガス中に残存している塩化水素などの酸性成分が中和され除去されて、精製されたガス化ガスはガスエンジンやガスタービン等のガス利用設備に送られ利用される。ここに、Ｐは循環ポンプであり、Ｔは冷却水を生成するクーリングタワーであり、酸洗浄塔２、アルカリ洗浄塔３に対しては、適宜二次処理水が補給されるようになっている。
【０００５】
ガス洗浄設備Ａ０を構成する減温塔１、酸洗浄塔２、アルカリ洗浄塔３から発生する洗浄設備廃水は、一旦貯留槽４にて貯留され、その後移送ポンプ５により、ｐＨ調整槽６に送られ、ここで酸あるいはアルカリ剤が投与されてｐＨ調整される。その後、廃水は凝集槽７に送られて凝集剤が投入され、凝集沈殿処理され、浮遊物質などが除去される。
【０００６】
浮遊物質などが除去された廃水は、沈殿槽８に送られて更に固液分離がなされた後、活性汚泥処理設備や生物学的脱窒素処理設備に送られて、有機分と窒素化合物（アンモニア）とが分解される。ここでも、再度ｐＨ調整槽９にてｐＨ調整され、沈殿槽１０に送られて固液分離された後、活性汚泥処理設備Ｂにて分解処理される。
【０００７】
活性汚泥処理設備Ｂは、嫌気槽および好気槽を備えると共に膜分離槽を備えていて、脱窒素菌に対する有機炭素源としてのメタノールを適宜添加する機構を有して構成されている。ここに、ＭＰは主循環ポンプであり、Ｒは好気槽に空気を送給するブロワであり、Ｐ１は汚泥を再度処理すべく返送する汚泥返送ポンプであり、Ｐ２は汚泥の一部をｐＨ調整槽９に返送する余剰汚泥返送ポンプである。
【０００８】
活性汚泥処理設備Ｂにより生物学的処理された廃水は、移送ポンプＰ３により活性炭吸着原水槽１１に送られた後、活性炭吸着原水ポンプＰ４により活性炭吸着塔１２に送給されて、生物学的処理によっては除去されずに残ったダイオキシン類や重金属類などを吸着除去する。清浄化処理された廃水は、一旦処理槽１７に貯留された後、処理水ポンプＰ５により放流される。
【０００９】
沈殿槽８，１０によって発生する汚泥は適宜引き抜かれて、汚泥貯留槽１３に貯留された後、汚泥移送ポンプＰ６により脱水機１４に送給されて、固体部分は、スクリューコンベア１５などにより搬送され場外に排出され、液体部分は、排水槽１６に一旦貯留された後、排水返送ポンプＰ７によってｐＨ調整槽６に送られ、再利用される。
【００１０】
【特許文献１】特開２００３−６５０８４号公報
【発明の開示】
【発明が解決しようとする課題】
【００１１】
しかしながら、上記従来技術は、工程が複雑で多岐にわたり、要する設備も大掛かりとなり、設備コスト、処理コストも少なくなく、より簡素な処理システムにより、確実に処理される処理システムの出現が強く要請されている。
【００１２】
そこで、上記従来技術の有する問題点に鑑みて、本発明の目的は、有機系廃棄物やバイオマス燃料から生成したガス化ガスなどを、より簡素な処理システムにより、確実に浄化可能なガス精製システムとガス精製方法を提供することにある。
【課題を解決するための手段】
【００１３】
上記課題は、各請求項記載の発明により達成される。すなわち、本発明に係るガス精製システムの特徴構成は、ガス化設備から発生するガス化ガスを除塵する低温集塵設備と、この低温集塵設備により除塵されたガス化ガスを洗浄するガス洗浄設備とを有していて、前記低温集塵設備の上流側に、この低温集塵設備に導入される前記ガス化ガス中の有害物質を吸着可能な吸着剤を投入する機構が設けられていることにある。
【００１４】
この構成によれば、ガス化ガスが低温集塵設備に導入される前に、予めガス化ガス中の有害物質を吸着可能な吸着剤が投入されることにより、大部分の有害物質が除去される（残存している有害物質は実質的にアンモニアのみ）ので、下流側のガス洗浄設備の負荷を顕著に低減でき、ガス洗浄設備の規模を従来技術の処理システムに比べて著しく簡素にできる。
【００１５】
その結果、有機系廃棄物やバイオマス燃料から生成したガス化ガスなどを、より簡素な処理システムにより、確実に浄化可能なガス精製システムとガス精製方法を提供することができた。
【００１６】
前記ガス洗浄設備から発生する廃水をｐＨ調整するｐＨ調整槽を備えると共に、このｐＨ調整槽により調整された廃水を蒸留する蒸留塔が設けられていて、この蒸留塔の缶液を中和して放流可能にする混合中和槽が設けられていることが好ましい。
【００１７】
この構成によれば、簡素な構成により廃水中の残存有害物質を分離して、有害物質を除去した無害な廃水を確実に生成できる。
【００１８】
前記ガス洗浄設備が、減温塔、酸洗浄塔、アルカリ洗浄塔を有しており、前記減温塔と酸洗浄塔から発生した混合廃水を前記ｐＨ調整槽に送給し、ｐＨ調整された廃水を前記蒸留塔により蒸留するようになっていると共に、この蒸留塔の缶液が前記アルカリ洗浄塔の循環水として使用された後、前記混合中和槽により中和され放流されることが好ましい。
【００１９】
この構成によれば、減温塔と酸洗浄塔に用いられる循環水を合わせて廃水とし、下流側の蒸留塔で有害物質を効果的に除去でき、無害な排水として放流できる。
【００２０】
前記ガス洗浄設備から発生する廃水をｐＨ調整するｐＨ調整槽を備える共に、このｐＨ調整槽により調整された廃水を、キャリアガスを供給して放散処理する放散塔が設けられていて、この放散塔の缶液を中和して放流可能にする混合中和槽が設けられていることが好ましい。
【００２１】
この構成によれば、蒸留塔に代えて放散塔を用いているので、精製システムを安価な設備とすることができると共に、放散塔の缶液を清浄にして放流できる。
【００２２】
前記ガス洗浄設備が、減温塔、酸洗浄塔、アルカリ洗浄塔を有しており、前記減温塔と酸洗浄塔から発生した混合廃水を前記ｐＨ調整槽に送給し、ｐＨ調整された廃水を前記放散塔により放散処理すると共に、この放散塔の缶液が前記アルカリ洗浄塔の循環水として使用された後、前記混合中和槽により中和され放流されるようになっていてもよい。
【００２３】
前記ガス洗浄設備から発生する廃水を、キャリアガスを供給して放散処理する放散塔が設けられていて、この放散塔の缶液を放流可能とすることが好ましい。
【００２４】
この構成によれば、蒸留塔に代えて放散塔を用いているので、精製システムを安価な設備とすることができることに加えて、放散塔の缶液は、汚染物質を含まないため支障なく放流できる。
【００２５】
前記ガス洗浄設備が、減温塔、吸収塔を有しており、前記減温塔と吸収塔から発生した混合廃水を前記放散塔に送給して放散処理するようになっていて、前記放散塔の缶液は、その一部が放流されると共に、前記吸収塔の吸収液として使用されるようになっていることが好ましい。
【００２６】
この構成によれば、ガス洗浄設備において薬剤を使用しないので、ｐＨ調整工程などを削減することができると共に、補給水が不要となるため、系外へはガス化ガス中の水分凝縮分のみが排出されることになり、設備構成を簡素化できる。
【００２７】
前記吸着剤が、活性炭、消石灰、ナトリウム系薬剤のいずれか又は混合されたものであることが好ましい。
【００２８】
この構成によれば、これらの吸着剤によりガス化ガス中に含まれる可能性のあるダイオキシン類や重金属類やタールなどの有害物資を効果的に吸着して除去でき、下流側のガス洗浄設備の負荷を確実に低減できる。
【００２９】
前記蒸留塔もしくは放散塔により蒸留もしくは放散され濃縮されたアンモニアガスが、前記ガス化設備またはガス利用設備の後段に配置される脱硝設備に送給されることが好ましい。
【００３０】
この構成によれば、蒸留塔もしくは放散塔から取り出されるアンモニアガスは、高濃度であるため、これを脱硝設備その他に有効利用でき、処理コストの全体的な低減をはかることができる。
【００３１】
また、本発明に係るガス精製方法の特徴構成は、ガス化設備から発生するガス化ガスを低温集塵設備により除塵し、この低温集塵設備により除塵されたガス化ガスをガス洗浄設備により洗浄する方法において、前記低温集塵設備の上流側に、この低温集塵設備に導入される前記ガス化ガス中の有害物質を吸着可能な吸着剤を投入することにある。
【００３２】
この構成によれば、有機系廃棄物やバイオマス燃料から生成したガス化ガスなどを、より簡素な処理システムにより、確実に浄化可能なガス精製方法を提供することができる。
【００３３】
前記ガス洗浄設備から発生する廃水をｐＨ調整槽にてｐＨ９以上に調整すると共に、このｐＨ調整された廃水を蒸留塔により蒸留し、この蒸留塔の缶液を中和して放流することが好ましい。
【００３４】
この構成によれば、簡素な構成により廃水中の残存有害物質を分離し除去できる。
【００３５】
前記ガス洗浄設備が、減温塔、酸洗浄塔、アルカリ洗浄塔を有しており、前記減温塔と酸洗浄塔から発生した混合廃水を前記ｐＨ調整槽に送給し、ｐＨ調整された廃水を前記蒸留塔により蒸留するようになっていると共に、この蒸留塔の缶液を前記アルカリ洗浄塔の循環水として使用した後、中和し放流することが好ましい。
【００３６】
この構成によれば、減温塔と酸洗浄塔に用いられる循環水を合わせて廃水とし、これらを無害な排水として放流できる。
【００３７】
前記ガス洗浄設備から発生する廃水をｐＨ調整槽にてｐＨ調整する共に、このｐＨ調整槽により調整された廃水をキャリアガスと共に放散塔に供給して放散処理し、前記放散塔の缶液を混合中和槽にて中和し放流することが好ましい。
【００３８】
この構成によれば、精製システムを安価な設備とすることができると共に、放散塔の缶液を清浄にして放流できる。
【００３９】
前記ガス洗浄設備が、減温塔、酸洗浄塔、アルカリ洗浄塔を有しており、前記減温塔と酸洗浄塔から発生した混合廃水を前記ｐＨ調整槽に送給し、ｐＨ調整された廃水を前記放散塔により放散処理するようになっていると共に、この放散塔の缶液を前記アルカリ洗浄塔の循環水として使用した後、前記混合中和槽により中和し放流するようにしてもよい。
【００４０】
前記ガス洗浄設備から発生する廃水をキャリアガスと共に放散塔に供給して放散処理し、前記放散塔の缶液を放流することが好ましい。
【００４１】
この構成によれば、精製システムを安価な設備とすることができることに加えて、放散塔の缶液は、汚染物質を含まないため支障なく放流できる。
【００４２】
前記ガス洗浄設備が、減温塔、吸収塔を有しており、前記減温塔と吸収塔から発生した混合廃水を前記放散塔に送給して放散処理し、前記放散塔の缶液を、その一部を放流すると共に、前記吸収塔の吸収液として使用することが好ましい。
【００４３】
この構成によれば、ｐＨ調整工程などを削減することができると共に、補給水が不要となるため、系外へはガス化ガス中の水分凝縮分のみを排出して、製造工程を簡素化できる。
【００４４】
前記吸着剤として、活性炭、消石灰、ナトリウム系薬剤のいずれか又は混合したものを用いることが好ましい。
【００４５】
この構成によれば、これらの吸着剤によりガス化ガス中に含まれる可能性のあるダイオキシン類や重金属類やタールなどの有害物資を効果的に吸着して除去できる。
【００４６】
前記蒸留塔により蒸留し濃縮したアンモニアガスを、前記ガス化設備またはガス利用設備の後段に配置される脱硝設備に送給することが好ましい。
【００４７】
この構成によれば、蒸留塔から取り出される高濃度のアンモニアガスを脱硝設備その他に有効利用でき、処理コストの全体的な低減をはかることができる。
【発明を実施するための最良の形態】
【００４８】
本発明の実施形態を、図面を参照して詳細に説明する。図１は、本発明に係る一実施形態に係るガス精製システムの概略フローを示す。
【００４９】
このガス精製システムは、流動層ガス化炉、循環流動層ガス化炉などのガス化設備１８から発生したガス化ガスを、バグフィルターなどの低温集塵装置で処理すべく、ガス冷却設備１９に送給され、ここで水噴霧や熱交換されて２００℃以下程度に冷却される。
【００５０】
ガス冷却設備１９により冷却されたガス化ガスは、配管２５を通して低温集塵設備２０に送給される途中の、低温集塵設備２０の入口付近において、消石灰や活性炭粉末のような吸着剤が、送給装置（図示略）などにより吹き込まれる特徴を有する。そのため、ガス化ガス中に含まれている可能性のあるダイオキシン類やタールや重金属類などの有害物質は、吹き込まれた吸着剤によって吸着され、低温集塵設備２０によって捕集され集塵される。低温集塵設備２０により集塵されたダストは、灰処理設備に送給されるか、場外に搬出されて無害化処理される。
【００５１】
低温集塵設備２０から排出されたガス化ガスは、ダイオキシン類、タール、重金属類などの有害物質が除去された状態で、ガス洗浄設備Ａに送給され清浄化される。ガス洗浄設備Ａは、基本的には従来技術と同様に、減温塔２１、酸洗浄塔２２、アルカリ洗浄塔２３などからなり、これらガス洗浄設備Ａによって、ガス化ガス中の腐食性物質、汚染物質などが除去され、清浄化されて、ガスエンジンやガスタービン等のガス利用設備に送られ利用される。
【００５２】
減温塔２１内で循環される減温塔循環水Ｗ１は、循環ポンプＰにより循環しており、熱交換器を介してクーリングタワーＴにより効果的に冷却されるようになっている。
【００５３】
酸洗浄塔２２での循環水Ｗ２には、ｐＨ調整のために硫酸などの薬剤Ｃ１が適宜供給され、常に洗浄効果を十分発揮し得るようになっている。また、減温塔循環水Ｗ１および酸洗浄塔循環水Ｗ２は、適宜その一部が引き抜かれて、一旦混合槽３２に送られ混合された後、移送ポンプＰ８によりｐＨ調整槽２６に送給される。ここで、薬剤Ｃ２（水酸化ナトリウムなどのアルカリ剤）が投入され、ｐＨ９以上に調整された後、移送ポンプＰ９により蒸留塔２７に送られ、蒸留塔２７では、外部から供給される蒸気Ｓを熱源として蒸留される。
【００５４】
蒸留塔２７周辺の配管には、熱交換器２９が配置されていて、熱効率を高める機能を発揮する。蒸留塔２７の出口に配置されている熱交換器２８では、クーリングタワーＣから送給された冷却水により水が凝縮し、水中に含まれているアンモニアはアンモニアガスとして分離される。アンモニアガスは、ガス化設備１８やガス利用設備の後段に配置される脱硝設備（図示略）に供給されて利用されたり、その他の用途に供されたりすることができる。つまり、蒸留塔２７に送られた上記循環水は、例えば、蒸気Ｓにより１００℃以上に加熱されて排出され、熱交換器２８を介してアンモニアガスを分離した後、約８０℃程度に冷却されて、蒸留塔２７の上部から再度底部に戻される。この循環過程の繰り返しにより、循環水中のアンモニアは濃縮され、高濃度に濃縮されたアンモニアガスとして分離されて、利用されることになる。
【００５５】
また、蒸留塔２７の底部に溜まった水（缶液）は、汚染物質を含まないアルカリ水となっており、移送ポンプＰ１０により、アルカリ洗浄塔２３に送給される。その際、このアルカリ水は、ｐＨ調整槽２６から蒸留塔２７に送られる途中に配置されている熱交換器２９と熱交換されると共に、クーリングタワーＣから送給される冷却水により、下流側の熱交換器３０において熱交換され約６０℃程度に冷却される。
【００５６】
一方、アルカリ洗浄塔２３では、減温塔２１、酸洗浄塔２２と同様に循環ポンプＰにより循環水Ｗ３が循環されており、その一部は、引き抜かれて混合中和槽３１に送られて、ここで硫酸などの薬剤Ｃ１が加えられてｐＨ調整された後、排水ポンプＰ１１により放流されたり、ガス冷却設備１９に送られて利用されたりするようになっている。
【００５７】
以上のように、本実施形態によれば、ガス化ガス中に含まれる可能性のある有害な汚染物質をガス洗浄設備で処理する前に、予め吸着剤によって吸着除去する工程を採用しているため、ガス化ガス中に残存しているのは、実質的にアンモニアのみに限定できるため、処理するための負荷を小さくでき、ガス洗浄設備の規模を従来技術の処理システムに比べて著しく簡素にできる。しかも、蒸留塔から取り出されるアンモニアガスは、高濃度であるため、これを脱硝設備その他に有効利用でき、処理コストの全体的な低減をはかることができる。
【００５８】
〔別実施の形態〕
（１）本発明の別実施形態として、図２に示すような構成のガス精製システムであってもよい。すなわち、このガス精製システムは、図１に示す実施形態のガス精製システムの蒸留塔２７に代えて放散塔３３を用いてあり、その下部にキャリアガスＧａ１を送給してｐＨ調整槽６により調整された廃水を放散処理すると共に、蒸気Ｓを送給して加熱するようになっている。キャリアガスＧａ１としては、通常、空気が用いられるが、これに限定されるものではない。放散塔３３の出口からは、熱交換器２８により熱交換された水がクーリングタワーＣから送給された冷却水により凝縮し、アンモニアを含むガスＧａ２が気体として分離される。このアンモニアガスは、上記実施形態の場合と同様に、ガス化設備１８やガス利用設備の後段に配置される脱硝設備（図示略）に供給されて利用されたり、その他の用途に供されたりすることができる。放散塔３３の缶液が、アルカリ洗浄塔に送給された後、混合中和槽３１で中和され放流される点は、上記実施形態と同様である。この実施形態では、蒸留塔２７に代えて放散塔３３を用いているので、精製システムを安価な設備とすることができる。
【００５９】
（２）更に、図３に示すような構成のガス精製システムであってもよい。すなわち、このガス精製システムは、ガス洗浄設備Ａが上記実施形態とは異なり、減温塔２１、吸収塔３４などからなり、これらガス洗浄設備Ａによって、ガス化ガス中の腐食性物質、汚染物質などが吸収・除去される。その後、ガス化ガスが後段のガスエンジンやガスタービンなどのガス利用設備にて利用される点は、上記実施形態と同様である。減温塔２１を循環する循環水Ｗ４は、熱交換器３５にて熱を放出しながら、吸収塔３４との間を循環される。この減温塔循環水Ｗ４は、吸収塔３４からの排出水Ｗ５として、その一部を引き抜かれ、熱効率を高めるための熱交換器２９を経て放散塔３３に供給されて、空気などのキャリアガスＧａ１を供給されながら、蒸気Ｓを熱源として放散処理される。放散塔３３の出口からは、熱交換器２８により熱交換された水がクーリングタワーＣから送給された冷却水により凝縮し、アンモニア含有ガスＧａ２が気体として分離される。このアンモニアガスは、上記実施形態の場合と同様に、ガス化設備１８やガス利用設備の後段に配置される脱硝設備（図示略）に供給されて利用されたり、その他の用途に供されたりすることができる。放散塔３３の底部の水Ｗ６は、汚染物質を含まないため、ポンプＰによって吸収塔３４に再度供給されると共に、一部は引き抜かれて系外に放流される。その量は、低温集塵設備２０から排出された排ガス中の水分が凝縮したものに相当する。
【００６０】
この実施形態によれば、ガス洗浄設備Ａにおいて薬剤を使用しないので、ｐＨ調整工程などを削減することができると共に、補給水が不要となるため、系外へはガス化ガス中の水分凝縮分のみが排出されることになり、設備構成を簡素化できる。
【００６１】
（３）上記実施形態において、吸着剤として消石灰、活性炭を用いた例を挙げたが、吸着剤としてはこれらに限定されるものではなく、重曹その他のナトリウム系の吸着剤を使用することができ、更に、これらを単独あるいは複合して用いてもよい。
【００６２】
（４）上記実施形態では、ガス洗浄設備Ａとして、減温塔２１、酸洗浄塔２２、アルカリ洗浄塔２３を備えた例を挙げて説明したが、これらは必ずしも全て備えている必要はなく、例えば、減温塔２１のみを有している構成であってもよい。この場合、減温塔循環水Ｗ１の一部を引き抜いて、図１に示す工程により、蒸留塔２７に送給して蒸留しつつ、蒸留塔２７の底部の水をそのまま混合中和槽３１に供給して、中和処理することができる。
【００６３】
（５）本発明に適用できるガス利用設備としては、ガスエンジンやガスタービンのような発電設備の他、メタノール製造設備などの液体燃料製造設備などを挙げることができる。
【００６４】
（６）本発明に適用できる燃料としては、各種有機系廃棄物の他、各種固形燃料、産業廃棄物などが挙げられる。
【図面の簡単な説明】
【００６５】
【図１】本発明に係る一実施形態に係るガス精製システムを示す概略フロー図
【図２】本発明に係る別実施形態に係るガス精製システムを示す概略フロー図
【図３】本発明に係る更に別実施形態に係るガス精製システムを示す概略フロー図
【図４】従来技術に係るガス精製システムを示す概略フロー図
【符号の説明】
【００６６】
１８        ガス化ガス設備
２０        低温集塵設備
２１        減温塔
２２        酸洗浄塔
２３        アルカリ洗浄塔
２６        ｐＨ調整槽
２７        蒸留塔
３１        混合中和槽
３３        放散塔
３４        吸収塔
Ａ          ガス洗浄設備
Ｇａ１      キャリアガス
【図１】
0004597099.tif 000002
【図２】
0004597099.tif 000003
【図３】
0004597099.tif 000004
【図４】
0004597099.tif 000005